(57)【要約】【課題】少ない部材で、宙吊り式の梱包が容易に出来、また、大きさや形状の異なった物品に即応させて使用することが出来る汎用性に富んだ宙吊り式包装箱の提供。【解決手段】底板１とその互いに平行な両側縁側に折り曲げ可能に一体に備えた両側面板２，３とからなる箱底側面構成半体ａと、頂板４とその互いに平行な両側縁側に折り曲げ可能に一体に備えた前後面板５，６とからなる箱頂前後面構成半体ｂとを有し、半体ｂの前後面板の下端縁及び前後縁を半体ａの底板及び両側面板の内面縁部に連続配置に形成した凹溝１０に嵌合させて箱体が組立て形成され、半体ａの両側面板の上端間に包装物下側保持用の可撓性シート状をした吊り持ち部材２０を備えるとともに、半体ｂの前後面板の下端間に包装物上側保持用の可撓性シート状をした押さえ部材２１を備え、両半体ａ，ｂを組み合わせて組立てられた箱体内において吊り持ち部材２０と押え部材２１間に包装物Ａを保持させる。【選択図】図１
2009161242.tif 000002
【特許請求の範囲】
【請求項１】
立方体形状をした箱体を構成する底板とその互いに平行な両側縁側に折り曲げ可能に一体に備えた前記箱体の両側面板とからなる箱底側面構成半体と、前記箱体を構成する頂板とその互いに平行な両側縁側に折り曲げ可能に一体に備えた前記箱体を構成する前後面板とからなる箱頂前後面構成半体とを有し、前記箱頂前後面構成半体の前後面板の下端縁及び前後縁を前記箱底側面構成半体の底板及び両側面板の内面縁部に連続配置に形成した凹溝に嵌合させて前記箱体が組立て形成され、前記箱底側面構成半体の両側面板の上端間に包装物下側保持用の可撓性シート状をした吊り持ち部材を備えるとともに、前記箱頂前後面構成半体の前後面板の下端間に包装物上側保持用の可撓性シート状をした押さえ部材を備え、且つ、前記箱底側面構成半体に、これと前記箱頂前後面構成半体を組み付けて箱体を構成した状態で該箱頂前後面構成半体の箱底側面構成半体内から抜け出るのを防止する半体間外れ止め部材を備え、前記両半体を組み合わせて箱体が組立てられた状態で、該箱体内において前記吊り持ち部材と押え部材間に包装物が保持されて宙吊り状態に収納されるようにしたことを特徴としてなる宙吊り式包装箱。
【請求項２】
前記箱底側面構成半体の両側面板部分に形成された凹溝は、開口幅より奥側が幅広の断面形状に形成され、前記箱頂前後面構成半体の前後面板の両側縁部には、前記凹溝の断面形状に対応して先端側が幅広で基端側が先端側それより狭い幅の断面形状に形成された凹溝嵌合用突片を備え、該凹溝嵌合用突片を前記凹溝の端部より差し込むことによって両半体を組み付けて立方体形状の箱体が組み立てられるようにしてなる請求項１に記載の宙吊り式包装箱。
【請求項３】
前記半体間外れ止め部材は、前記箱底側面構成半体の両側面板の頂部に跨らせて前記箱頂前後面構成半体の頂板上に巻きかける帯状材をもって構成させてなる請求項１又は２の何れか１の請求項に記載の宙吊り式包装箱。
【請求項４】
前記各半体の底板及び頂板の中央に、箱体外方向に山折できる折線を備えてなる請求項１〜３の何れか１の請求項に記載の宙吊り式包装箱。
【請求項５】
前記吊り持ち部材及び／又は押さえ部材は、それぞれの一端が各半体に対して取り付け位置を変更させることによって箱体内における長さを調整できるようにしてなる請求項1〜４の何れか１の請求項に記載の宙吊り式包装箱。
【請求項６】
前記両半体は、可撓性を有する合成樹脂製の薄板材の表面側から裏面側に押し出された形状の中空の円錐台形突起が規則的に多数一体成型された形状の突起付シート状材を複数枚重ねて一体化させることによって内部に空間を有する中空構造板を使用し、該中空構造板の前記突起付シート状材の突起に対応した凹陥部が露出している表面側を前記箱体の外面側に向けて構成させ、前記吊り持ち部材及び／又は押さえ部材は、1枚の前記突起付シート状材をもって構成させ、それぞれの裏面に突出している突起を前記両半体の外面の凹陥部に嵌合させて固定してなる請求項1〜５の何れか1に記載の宙吊り式包装箱。
【請求項７】
前記吊り持ち部材及び／又は押え部材は、一端側を各半体の外周面に対してその凹陥部内に突起を嵌合させて固定し、他端側を各半体の外周面に対して位置を違えて前記凹陥部に対して突起を嵌合させることによってそれぞれの箱体内の長さを変更可能にしてなる請求項６に記載の宙吊り式包装箱。
【発明の詳細な説明】
【技術分野】
【０００１】
本発明は、主として電子機器類や精密機械類等、衝撃に敏感な物体の梱包に使用し、繰り返し使用及び多種類の包装物に対応が可能な宙吊り式包装箱に関する。
【背景技術】
【０００２】
従来、電子機器や精密機器類、貴ガラス・陶器類など、衝撃に敏感な物品を輸送のために梱包する方法として、空気袋や発泡スチロールなどの衝撃緩衝材料を包装物と包装容器との空隙に詰めることによって輸送中における包装物の損傷を防止するようにした空隙充填方式や、発泡スチロールをもって包装物の外形に合わせたが緩衝性保持材を使用したものが一般的であった。
【０００３】
また、近年においては、包装容器に緩衝性のあるシートを２枚張設し、そのシート間に包装物を挟んだ状態に保持させることにより、包装物を宙吊りの状態に包装する、所謂ハンモック方式が提案されている（例えば特許文献１，２）。
【特許文献１】特開平７−３３００３４号公報
【特許文献１】特許第３７９６８２４号公報
【発明の開示】
【発明が解決しようとする課題】
【０００４】
上述した従来のハンモック方式による包装は、宙吊りのためのシートを保持するための部材と、包装のための外箱とが別個のものとして構成されており、このため資材を多く要し、また、外箱はダンボール等の紙製であり、宙吊りのためのシートは合成樹脂製であって、複数の異なった材料が使用されているため、その廃品処理を別々に行わなければならないという問題があった。
【０００５】
更に、宙吊りのためのシートは、これを保持する枠などの保持部材に固定されなければならず、且つ、保持される包装物の体積に対応した長さに予め設定した状態で保持部材に固定しておかなければならないため、製造工場から出荷される電子部品などのように、同じ形状のものを包装するための専用のパッケージとしては効果的であるが、多種類の物品に即応して使用することが出来ないという問題があった。
【０００６】
また、包装物が工場等の発送箇所から流通経路を経て消費者に到達した後は、その段階で廃棄されているのが現状であり、資材が浪費されているという問題がある。
【０００７】
本発明は、上述の如き従来の問題に鑑み、少ない部材で、宙吊り式の梱包が容易に出来、また、大きさや形状の異なった物品に即応させて使用することが出来、汎用性に富んだ宙吊り式包装箱の提供を目的としてなされたものである。
【課題を解決するための手段】
【０００８】
上述の如き従来の問題を解決し、所期の目的を達成するための請求項１に記載の発明の特徴は、立方体形状をした箱体を構成する底板とその互いに平行な両側縁側に折り曲げ可能に一体に備えた前記箱体の両側面板とからなる箱底側面構成半体と、前記箱体を構成する頂板とその互いに平行な両側縁側に折り曲げ可能に一体に備えた前記箱体を構成する前後面板とからなる箱頂前後面構成半体とを有し、前記箱頂前後面構成半体の前後面板の下端縁及び前後縁を前記箱底側面構成半体の底板及び両側面板の内面縁部に連続配置に形成した凹溝に嵌合させて前記箱体が組立て形成され、前記箱底側面構成半体の両側面板の上端間に包装物下側保持用の可撓性シート状をした吊り持ち部材を備えるとともに、前記箱頂前後面構成半体の前後面板の下端間に包装物上側保持用の可撓性シート状をした押さえ部材を備え、且つ、前記箱底側面構成半体に、これと前記箱頂前後面構成半体を組み付けて箱体を構成した状態で該箱頂前後面構成半体の箱底側面構成半体内から抜け出るのを防止する半体間外れ止め部材を備え、前記両半体を組み合わせて箱体が組立てられた状態で、該箱体内において前記吊り持ち部材と押え部材間に包装物が保持されて宙吊り状態に収納されるようにしたことを特徴としてなる宙吊り式包装箱にある。
【０００９】
請求項２に記載の発明の特徴は、前記請求項１の構成に加え、前記箱底側面構成半体の両側面板部分に形成された凹溝は、開口幅より奥側が幅広の断面形状に形成され、前記箱頂前後面構成半体の前後面板の両側縁部には、前記凹溝の断面形状に対応して先端側が幅広で基端側が先端側それより狭い幅の断面形状に形成された凹溝嵌合用突片を備え、該凹溝嵌合用突片を前記凹溝の端部より差し込むことによって両半体を組み付けて立方体形状の箱体が組み立てられるようにしたことにある。
【００１０】
請求項３に記載の発明の特徴は、前記請求項１又は２の何れかの１の請求項の構成に加え、前記半体間外れ止め部材は、前記箱底側面構成半体の両側面板の頂部に跨らせて前記箱頂前後面構成半体の頂板上に巻きかける帯状材をもって構成させたことにある。
【００１１】
請求項４に記載の発明の特徴は、前記請求項１〜３の何れかの１の請求項の構成に加え、前記各半体の底板及び頂板の中央に、箱体外方向に山折できる折線を備えたことにある。
【００１２】
請求項５に記載の発明の特徴は、前記請求項１〜４の何れかの１の請求項の構成に加え、前記吊り持ち部材及び／又は押さえ部材は、それぞれの一端が各半体に対して取り付け位置を変更させることによって箱体内における長さを調整できるようにしたことにある。
【００１３】
請求項６に記載の発明の特徴は、前記請求項１〜５の何れかの１の請求項の構成に加え、前記両半体は、可撓性を有する合成樹脂製の薄板材の表面側から裏面側に押し出された形状の中空の円錐台形突起が規則的に多数一体成型された形状の突起付シート状材を複数枚重ねて一体化させることによって内部に空間を有する中空構造板を使用し、該中空構造板の前記突起付シート状材の突起に対応した凹陥部が露出している表面側を前記箱体の外面側に向けて構成させ、前記吊り持ち部材及び／又は押さえ部材は、1枚の前記突起付シート状材をもって構成させ、それぞれの裏面に突出している突起を前記両半体の外面の凹陥部に嵌合させて固定したことにある。
【００１４】
請求項７に記載の発明の特徴は、前記請求項６の構成に加え、前記吊り持ち部材及び／又は押え部材は、一端側を各半体の外周面に対してその凹陥部内に突起を嵌合させて固定し、他端側を各半体の外周面に対して位置を違えて前記凹陥部に対して突起を嵌合させることによってそれぞれの箱体内の長さを変更可能にしたことにある。
【発明の効果】
【００１５】
本発明においては、立方体形状をした箱体を構成する底板とその互いに平行な両側縁側に折り曲げ可能に一体に備えた前記箱体の両側面板とからなる箱底側面構成半体と、前記箱体を構成する頂板とその互いに平行な両側縁側に折り曲げ可能に一体に備えた前記箱体を構成する前後面板とからなる箱頂前後面構成半体とを有し、前記箱頂前後面構成半体の前後面板の下端縁及び前後縁を前記箱底側面構成半体の底板及び両側面板の内面縁部に連続配置に形成した凹溝に嵌合させて前記箱体が組立て形成され、前記箱底側面構成半体の両側面板の上端間に包装物下側保持用の可撓性シート状をした吊り持ち部材を備えるとともに、前記箱頂前後面構成半体の前後面板の下端間に包装物上側保持用の可撓性シート状をした押さえ部材を備え、前記両半体を組み合わせて箱体が組立てられた状態で、該箱体内において前記吊り持ち部材と押え部材間に包装物が保持されて宙吊り状態に収納されるようにしたことにより、２つの半体を主体とした部材によって、包装物が宙吊り状態で梱包されることとなり、低コストで宙吊り式包装箱が提供でき、また、この包装箱を使用した宙吊り式梱包作業が容易に行える。
【００１６】
本発明においては、前記箱底側面構成半体の両側面板部分に形成された凹溝は、開口幅より奥側が幅広の断面形状に形成され、前記箱頂前後面構成半体の前後面板の両側縁部には、前記凹溝の断面形状に対応して先端側が幅広で基端側が先端側それより狭い幅の断面形状に形成された凹溝嵌合用突片を備え、該凹溝嵌合用突片を前記凹溝の端部より差し込むことによって両半体を組み付けて立方体形状の箱体が組み立てられるようにしたことにより、半体外れ止め部材によって半体間を固定する以前の状態においても、箱体が組立てられた状態で自立することとなり、梱包作業の操作性が向上すると共に、梱包後の強度も高いものとなる。
【００１７】
本発明においては、前記半体間外れ止め部材は、前記箱底側面構成半体の両側面板の頂部に跨らせて前記箱頂前後面構成半体の頂板上に巻きかける帯状材をもって構成させたことにより、梱包作業時の操作性が良く、しかも梱包後の安全性が高いものとなる。
【００１８】
本発明においては、前記各半体の底板及び頂板の中央に、箱体外方向に山折できる折線を備えたことにより、不使用時や運搬地に、各半体を２つ折の平らな状態に折り畳んだ状態とすることができ、嵩張らず、保管搬送に便利となる。
【００１９】
本発明においては、前記吊り持ち部材及び／又は押さえ部材は、それぞれの一端が各半体に対して取り付け位置を変更させることによって箱体内における長さを調整できるようにしたことにより、各種の大きさの包装物に包装時に対応させることが出来、汎用性に富むものとなる。
【００２０】
本発明においては、前記両半体は、可撓性を有する合成樹脂製の薄板材の表面側から裏面側に押し出された形状の中空の円錐台形突起が規則的に多数一体成型された形状の突起付シート状材を複数枚重ねて一体化させることによって内部に空間を有する中空構造板を使用し、該中空構造板の前記突起付シート状材の突起に対応した凹陥部が露出している表面側を前記箱体の外面側に向けて構成させ、前記吊り持ち部材及び／又は押さえ部材は、1枚の前記突起付シート状材をもって構成させ、それぞれの裏面に突出している突起を前記両半体の外面の凹陥部に嵌合させて固定したことにより、吊り持ち部材及び押さえ部材の各半体に対する固定部分が、突起に対する半径方向のせん断応力によって対抗することとなり、簡単な接着又は粘着であっても耐力の大きい固定状態が得られる。
【００２１】
また、使用する材料は中空構造板及びその製造のための半製品である突起付シート状材であるため、資材の調達が同一箇所でなされ、製造が容易となると共に、殆ど全てが単一種の合成樹脂材料によって製造されるため、リサイクルが容易となる。
【００２２】
本発明においては、前記吊り持ち部材及び／又は押え部材は、一端側を各半体の外周面に対してその凹陥部内に突起を嵌合させて固定し、他端側を各半体の外周面に対して位置を違えて前記凹陥部に対して突起を嵌合させることによってそれぞれの箱体内の長さを変更可能にしたことにより、吊り持ち部材及び／又は押え部材の長さ調節後の固定部分の強度が高く、本包装箱の汎用性化により効果的なものとなる。
【発明を実施するための最良の形態】
【００２３】
次に本発明の実施の形態を図面に示した実施例に基づいて説明する。
【００２４】
この包装箱は図２に示すように包装物Ａを保持して組立てられた状態のときに立方体形状をした箱体Ｂが構成されるようになっている。この包装箱は、図１に示すように箱立Ｂを構成する底板１と、その互いに平行な両側縁側に折り曲げ可能に一体に備えられた左右の側面板２，３とから構成されている箱底側面構成半体ａと、箱体Ａを構成する頂板４と、その互いに平行な前後縁側に折り曲げ可能に一体に備えた前後面板５，６とから構成されている箱頂前後面構成半体ｂとから構成されている。
【００２５】
箱底側面構成半体ａは、左右側面板２，３が底板１に対し、略９０度の角度に立ち上げることが出来るように折り曲げ線７，７を介して折り曲げ自在に一体化されている。また、箱頂前後面構成半体ｂは、前後面板５，６が、頂板４に対し、９０度の角度に下向きに折り曲げることができるように折り曲げ線８，８を介して一体化されている。
【００２６】
箱底側面構成半体ａの底板１及び左右側面板２，３の内面の両縁部やや内側には、それぞれ凹溝１０，１０が、底板１、左右側面板２，３に連続した配置に形成されている。一方箱頂前後面構成半体ｂの前後面板５，６のそれぞれの両縁には凹溝嵌合用突片１１，１１，１１，１１，１１が一体に突設されており、この突片１１を左右側面板２，３の凹溝１１，１１に嵌合させるとともに前後面板５，６の下端縁１２が、底板１表面の凹溝１０に嵌合させることによって、図２に示すように箱体Ｂの状態に組立てられるようになっている。
【００２７】
また、底板１の両側面板間中央位置には、箱前後方向に向けて折り曲げ線１５が形成され、底板１は、図７に示すように、この折り曲げ線１５により底板下側に山折できるようになっているとともに、頂板４の前後面板間中央部分には箱左右方向に向けた折り曲げ線１６が形成され、また、頂板４も、図７に示すように折り曲げ線１６により頂板上側に山折できるようになっている。尚、前述した図１及び図２に示す箱状に組立てられた際には、左右側面板２，３間が前後面板５，６によって、また、前後面板５，６間が左右側面板２，３によって規制されることにより底板１及び頂板４の折り曲げ線位置は折り曲げが抑制されて箱状が維持されるようになっている。
【００２８】
箱底側面構成半体ａの両側面板２，３の上縁間には、矩形状をした可撓性シート状材からなる吊り持ち部材２０がハンモック状に中央部分にたるみを持たせた状態で掛け渡され、その両端が両側面板２，３の外側にて固定されるようになっている。一方、箱頂前後面構成半体ｂの前後面板５，６の下端縁間には、矩形状をした可撓性シート状材からなる押さえ部材２１がハンモック状に中央部分にたるみを持たせた状態で掛け渡され、その両端が前後面板５，６の外側にて固定されるようになっている。
【００２９】
尚、吊り持ち部材２０の一端は一方の側面板の外面に予め固定され、他端側が両側面板間におけるたるみ長さが調節できるように、包装物梱包時に粘着テープその他の固着手段によって他方の側面板外面の任意の位置に固定できるようになっている。
【００３０】
同様に、押さえ部材２１にあっても、その一端は前後面板の一方の外面に予め固定され、他端側が前後面板間におけるたるみ長さが調節できるように、包装物梱包時に粘着テープその他の固着手段によって前後面板の他方の外面の任意の位置に固定できるようになっている。
【００３１】
箱底側面構成半体ａには、図の如く立方体形状に組立てられた箱体Ａの形状を維持させるための半体間外れ止め部材２３が備えられている。これは箱底側面構成半体ａの両側面板２，３の頂部に跨らせて箱頂前後面構成半体ｂの頂板４上に巻きかける帯状材から構成され、その一部が底板１の底面の一方の側面板に片寄せた部分に固着されている。図４に示すように、両側面板２，３の外面側から頂板４の上面を抱き込むようにして巻きかけ、両端部間を粘着テープ２４によって固定することによって、互いに組み合わされた両半体ａ，ｂを外れ止めするようになっている。尚、粘着テープ２４に代えて面ファスナーを使用してもよく、また、図には示してないが、この半体間外れ止め部材２３は、一端を一方の側面板２の外面に固着し、他端を他方の側面板３の外面に、粘着テープや面ファスナーを使用して着脱自在に固定するようにしても良い。
【００３２】
このように構成される宙吊り式包装箱は、図３、図４に示すように、両半体ａ，ｂの吊り持ち部材２０及び押さえ部材２１の長さを包装物Ａの大きさに合わせて調節し、半体ａの吊り持ち部材２０の上に包装物Ａを載せ、その上から半体ａ内に半体ｂを嵌め合わせることによって半体ｂの押さえ部材２１によって吊り持ち部材２０上の包装物の上面を押さえ込ませる。この状態で、包装物Ａは、互いに水平方向に直行する配置の帯状をした吊り持ち部材２０と押さえ部材２１とによって、包み込まれるような宙吊り状態に保持される。
【００３３】
しかる後、半体外れ止め部材２３によって両半体ａ，ｂ間を固定することによって、どの向きに傾けても、また天地を逆向きにしても包装物Ａは箱体Ｂ内においてその中央部分に宙吊りされた状態が維持される。
【００３４】
上述した両半体ａ，ｂは包装箱としての所望の強度を有する板材であればよく、また、吊り持ち部材２０、押さえ部材２１及び半体外れ止め部材２３を構成するシート状材は、可撓性を有する帯状のフィルム材が使用できるが、以下に述べる特殊材料を使用することが好ましい。
【００３５】
即ち、吊り持ち部材２０、押さえ部材２１及び半体外れ止め部材２３を構成するシート状材は、図８（ａ）（ｂ）に示す突起付シート状材３０を使用する。これは、可撓性を有する合成樹脂製の薄板材３１の裏面に、円錐台形をした多数の突起３２が規則的に一体に突設され、その突起３２に対応する薄板材３１の表面側には、突起３２の中心線を同じくした円錐台形の凹陥部３３が形成されたものであり、凹陥部３３は、その内部に前記突起３２が嵌まり合う形状に成型されている。換言すれば、円錐台形の凹型３５と、その内部に嵌りあう相似形をした凸型３６との間に薄板材３１を挟みこむことによって表面側に凹陥部３３が、これと対応する表面側に突起３２が形成された形状となっている。
【００３６】
そして、この突起付シート状材３０は、一例としてポリプロピレンが使用されるが、この他、塩化ビニルであってもよい。また、突起３２の配列は一例として千鳥状配置に規則正しく突設されているが、この他格子状配置等であっても良い。
【００３７】
また、両半体ａ，ｂは、図９に示すように、前述した突起付シート状材３０，３０を２枚、両者の突起３２，３２の頂面を互いに突合せ配置に接合、該頂面間を溶着して互いに一体化させ、これによって薄板材３２,３２と多数の突起３２との間を中空とした中空構造板４０を使用している。尚、図には示してないが、この中空構造板４０は、片側面に平らな板材を張り合わせたものであっても良く、その場合には前述した凹陥部３３が露出した面を両半体ａ，ｂの外側面として使用する。
【００３８】
そして、半体ａと吊り持ち部材２０との連結は、図  に示すように吊り持ち部材２０の一端側を一方の側面板２の上端部外面に重ね合わせ、側面板２の外面の各凹陥部３３内に吊り持ち部材２０の各突起３２を嵌め合わせ、両者間を溶着又は接着によって固定する。吊り持ち部材の他端側は、そのたるみ具合を包装物Ａに合わせて調節して他方の側面板３の外側面に重ね合せ、側面板３の外面の各凹陥部３３内に吊り持ち部材２０の各突起３２を嵌め合わせ、粘着テープ４１をもって取り外し可能に固定する。
【００３９】
そして、半体ｂと押さえ部材２１との連結は、図１０に示すように押さえ部材２１の一端側を前板５の下端部外面に重ね合わせ、前板５の外面の各凹陥部３３内に押さえ部材２１の各突起３２を嵌め合わせ、両者間を溶着又は接着によって固定する。押さえ部材２１の他端側は、そのたるみ具合を包装物Ａに合わせて調節して他方の前面板６の外側面に重ね合せ、前面板６の外面の各凹陥部３３内に押さえ部材２１の各突起３２を嵌め合わせ、粘着テープをもって取り外し可能に固定する。
【００４０】
半体外れ止め部材２３は、図１１に示すようにその両端を重ね合わせ、一方の端部の表面の凹陥部３３に他方の端部の突起３２をはめ合せ、粘着テープにより端部間を固定する。
【００４１】
尚、半体外れ止め部材２３を、その両端を各側面板２，３の外面に固定する方式とした場合においても、該部材２３を構成している突起付シート状材３０の突起３２を側面板外面の凹陥部３３内に嵌合した状態で固定する。
【００４２】
このようにして、突起付シート状材３０、及びこれを重ねて使用した中空構造板４０を使用することにより、吊り持ち部材２０及び押さえ部材２１の各半体に対する固定部分が、突起３２に対する半径方向のせん断応力によって対抗することとなり、簡単な接着又は粘着であっても耐力の大きい固定状態が得られる。また、使用する材料は中空構造板及びその製造のための半製品である突起付シート状材であるため、資材の調達が同一箇所でなされ、製造が容易となると共に、殆ど全てが単一種の合成樹脂材料によって製造されるため、リサイクルが容易となる。
【００４３】
前述した実施例では、各半体ａ，ｂの両側面板２，３及び前後面板５，６に凹溝１０は、断面がＵ字形に形成された場合を示しているが、図１２に示すように凹溝開口幅よりも凹溝奥部幅が広い断面がＬ字形のものであっても良く、これに対応させて前後面板５，６の両側縁の突凹溝嵌合用片１１を前記凹溝１０内に嵌まり合う断面形状とすることが好ましい。
【００４４】
このようにすることによって、半体外れ止め部材２３によって半体間を固定する以前の状態においても、箱体Ａが組立てられた状態で自立することとなり、梱包作業の操作性が向上すると共に、梱包後の強度も高いものとなる。
【００４５】
また、前記得凹溝１０と突片１１との嵌め合い構造は、前述した断面Ｕ字形及びＴ字形の他、断面Ｔ字形、蟻・蟻溝型等、各種の嵌め合い構造とすることができる。
【図面の簡単な説明】
【００４６】
【図１】本発明に係る宙吊り式包装箱の第一実施例を示す分解斜視図である。
【図２】同上の２つの半体を箱体に組立てた状態を示す斜視図である。
【図３】同上の包装物が箱体内にて宙吊りされた状態を示す斜視図である。
【図４】同上の包装完了状態の縦断面図である。
【図５】同上の箱底側面構成半体を示すもので、（ａ）は正面図、（ｂ）は側面図、（ｃ）は平面図である。
【図６】同上の箱頂前後面構成半体を示すもので、（ａ）は正面図、（ｂ）は側面図、（ｃ）は平面図である。
【図７】同上の箱底側面構成半体及び箱頂前後面構成半体の折りたたみ状態を示す側面図である。
【図８】本発明の第二実施例の宙吊り式包装箱に使用するシート状材を示すもので（ａ）は平面図、（ｂ）は側面図である。
【図９】同上の中空構造板を示す側面図である。
【図１０】同上の各半体と吊り持ち部材及び押さえ部材との固定状態を示す断面図である。
【図１１】同上の半体間外れ止め部材の端部間の連結状態を示す断面図である。
【図１２】本発明に係る宙吊り式包装箱の第三実施例を示す分解斜視図である。
【符号の説明】
【００４７】
Ａ  包装物
Ｂ  箱体
ａ  箱底側面構成半体
ｂ  箱頂前後面構成半体
１  底板
２  左側面板
３  右側面板
４  頂板
５  前面板
６  後面板
７，８  折り曲げ線
１０  凹溝
１１  凹溝嵌合用突片
１２  下端縁
１５，１６  折り曲げ線
２０  吊り持ち部材
２１  押さえ部材
２３  半体間外れ止め部材
２４  粘着テープ
３０  突起付シート状材
３１  薄板材
３２  突起
３３  凹陥部
３５  凹型
３６  凸型
４０  中空構造板
【図１】
2009161242.tif 000003
【図２】
2009161242.tif 000004
【図３】
2009161242.tif 000005
【図４】
2009161242.tif 000006
【図５】
2009161242.tif 000007
【図６】
2009161242.tif 000008
【図７】
2009161242.tif 000009
【図８】
2009161242.tif 000010
【図９】
2009161242.tif 000011
【図１０】
2009161242.tif 000012
【図１１】
2009161242.tif 000013
【図１２】
2009161242.tif 000014